(57)【要約】【課題】空気入れ商品は、持ち運びの際、小さく折り畳まれるため、また、複数の空気入れ商品を纏めて梱包して出荷する場合などは、空気入れ商品の自重や、積み重ねによる荷重で空気注入弁が変形し、シールド性を損ねてしまう。【解決手段】カバー本体１の中心に設けられた止着部２と、カバー本体１に形成された開弁スリット３とを備える。カバー本体１は、空気注入弁４に外嵌した際、空気入れ商品が傷付かないに端縁１ａを丸くエッジ処理している。止着部２は、カバー本体１の頂部内側に垂下された突起体からなり、空気注入弁４内に留め置きできる長さに形成せしめる。開弁スリット３は、開放端(下端)側がカバー本体１の端縁１ａに連通すると共に、空気注入弁４を外嵌できる大きさに形成し、更に詳しくは、同空気注入弁４の外周に嵌めた際、同空気注入弁４を強制的に押圧して開弁状態に保持せしめる大きさに切り欠くのが良い。【選択図】  図５
2005337437.tif 000002
【特許請求の範囲】
【請求項１】
浮き輪等の空気入れ商品に使用される空気注入弁を被装する大きさに形成されたカバー本体と、該カバー本体に設けられて前記空気注入弁に着脱自在に取り付けされる止着部と、前記カバー本体に形成されて前記空気注入弁を開弁状態に保持せしめる開弁スリットとを備えてなることを特徴とする空気注入弁用保護カバー。
【請求項２】
浮き輪等の空気入れ商品に使用される空気注入弁を被装する大きさに形成されたカバー本体と、該カバー本体に設けられて前記空気注入弁に着脱自在に取り付けされる止着部と、前記カバー本体に形成されて前記空気注入弁を開弁状態に保持せしめる開弁スリットとの全て又は何れかを選択又は組み合わせてなることを特徴とする空気注入弁用保護カバー。
【請求項３】
前記止着部は、空気注入弁内に挿着される突起体であることを特徴とする請求項１又は２に記載の空気注入弁用保護カバー。
【請求項４】
前記開弁スリットは、開放端側がカバー本体の端縁に連通すると共に、空気注入弁の外周に嵌合した際、同空気注入弁を開弁状態に保持する大きさに切り欠かれていることを特徴とする請求項１又は２に記載の空気注入弁用保護カバー。
【発明の詳細な説明】
【技術分野】
【０００１】
本発明は主として浮き輪等の空気入れ商品に使用される空気注入弁の保護カバーの改良に関し、更に詳しくは、空気入れ商品の折り畳みや積み重ねによる空気注入弁の変形負担を防止すると共に、従来の空気抜き棒を不要とすべく簡単な空気抜き具としても併用できる空気注入弁用保護カバーに関する。
【背景技術】
【０００２】
従来、浮き輪等の空気入れ商品としては、例えば、図６に示すように、注排気口４ａの上端開口４ａ１  に開閉自在に止着される外弁６と、前記注排気口４の下端開口４ａ２  に対して開閉自在に配設される内弁７とを備えている（例えば、特許文献１参照）。
【特許文献１】実用新案登録第３０８５６８２号
【発明の開示】
【発明が解決しようとする課題】
【０００３】
しかしながら、斯かる空気入れ商品は、持ち運びの際は、小さく折り畳まれるものであり、また、複数の空気入れ商品を纏めて梱包して出荷する場合などは、空気入れ商品の自重や、積み重ねによる荷重で空気注入弁が変形してしまうといった問題があり、同注入弁のシールド性を損ねてしまうことが危惧されている。
【０００４】
また、このような構造の空気注入弁にあっては、空気を抜く際、空気抜き棒８（図６参照）を挿入したり或いは指で同注入弁を摘むべく押さえておかなければならないといった手間を生じてしまうものである。
【０００５】
本発明は斯かる問題点に鑑みてなされたもので、空気入れ商品の折り畳みや積み重ねによる注入弁の変形負担を確実に防止することができると共に、空気を抜く際は、空気注入弁に外嵌するだけで簡単に開弁状態に保持することができる有用な空気注入弁用保護カバーを提供することを目的とするものである。
【課題を解決するための手段】
【０００６】
上述の如き従来の問題点を解決し、所期の目的を達成するため本発明の要旨とする構成は、浮き輪等の空気入れ商品に使用される空気注入弁を被装する大きさに形成されたカバー本体と、該カバー本体に設けられて前記空気注入弁に着脱自在に取り付けされる止着部と、前記カバー本体に形成されて前記空気注入弁を開弁状態に保持せしめる開弁スリットとを備えてなる空気注入弁用保護カバーに存する。
【０００７】
また、前記止着部は、空気注入弁内に挿着される突起体であるのが良く、前記開弁スリットは、開放端側がカバー本体の端縁に連通すると共に、空気注入弁の外周に嵌合することで、同注入弁を開弁状態に保持する大きさに切り欠かれているのが良い。
【発明の効果】
【０００８】
このように構成される本発明の空気注入弁用保護カバーは、浮き輪等の空気入れ商品に使用される空気注入弁を被装する大きさに形成されたカバー本体と、該カバー本体に設けられて前記空気注入弁に着脱自在に取り付けされる止着部と、前記カバー本体に形成されて前記空気注入弁を開弁状態に保持せしめる開弁スリットとを備えてなることによって、前記止着部を空気注入弁に挿着させるだけで、簡単に同空気注入弁を前記カバー本体で覆うことができるため、空気入れ商品の折り畳みや、積み重ねによる荷重で空気注入弁が変形してしまうといった従来の問題点を解消できるといった効果を奏するものであり、積み重ねや運搬時に生じていた空気注入弁の変形負担に起因する安易な空気漏れをも未然に防止することができる。
【０００９】
また、前記止着部が、空気注入弁内に挿着される突起体であることによって、同注入弁内に挿着し易く、更に、前記開弁スリットは、開放端側がカバー本体の端縁に連通すると共に、空気注入弁の外周に嵌合した際、同空気注入弁を開弁状態に保持する大きさに切り欠かれているため、空気注入弁に外嵌するだけで、簡単に空気を抜くことができるといった効果を奏する。
【００１０】
更に、本発明の空気注入弁用保護カバーは、従来の空気抜き棒(図６参照)と違って、内弁を傷付けたり、空気抜き棒を無理やり押し込むことに起因する同弁の変形負担をも防止でき、また、弁口を構成する下端開口が（同空気抜き棒の挿入で）閉塞することもないので、効率よく空気を抜くことができる。
【００１１】
このように本発明は、従来、折り畳みや積み重ね時に生じていた空気注入弁の変形負担や、これに起因する安易な空気漏れを未然に防止することができると共に、積み重ねや運搬が終わった際は、使い捨てになるのではなく、空気入れ商品の空気抜き具としても役立つものであり、また、構成が単純であるため大量生産に適し、価格も低廉なものとして需要者に供給できるなど、本発明を実施することはその実益的価値が甚だ大である。
【発明を実施するための最良の形態】
【００１２】
浮き輪等の空気入れ商品に使用される空気注入弁を被装する大きさに形成されたカバー本体と、該カバー本体に設けられて前記空気注入弁に着脱自在に取り付けされる止着部とを備えてなるのが良く、延いては、前記カバー本体に前記空気注入弁を開弁状態に保持せしめる開弁スリットを形成せしめるのが良い。
【実施例】
【００１３】
次に、本発明の実施の一例を図面を参照しながら説明する。図中Ａは、本発明に係る空気注入弁用保護カバーであり、この空気注入弁用保護カバーＡは、図１乃至図２に示すように、円傘状に形成されたカバー本体１と、該カバー本体１の中心に設けられた止着部２と、前記カバー本体１に形成された開弁スリット３とを備えている。
【００１４】
前記カバー本体１は、例えば、硬質の合成樹脂材から円傘状に成形されており、後述する空気注入弁４に取り付けた際、空気入れ商品が傷付かないに端縁１ａを丸く処理している(エッジ処理)。
【００１５】
また、前記止着部２は、カバー本体１の頂部内側に垂下された突起体からなり、空気注入弁内に留め置きできる長さに形成されている。
【００１６】
更に、前記開弁スリット３は、開放端(下端)側がカバー本体１の端縁１ａに連通すると共に、空気注入弁４に外嵌できる大きさに形成されており、更に詳しくは、同空気注入弁４の外周に嵌めた際、同空気注入弁４を強制的に押圧して開弁状態に保持せしめる大きさに切り欠かれている。
【００１７】
尚、この開弁スリット３は、無端側が狭く開放端側が広くなるようにテーパー状に切り欠いているため(図４参照)、種々な大きさ(外径)の空気注入弁４にも対応できると共に、無端側（上位）に行くに連れて次第に同注入弁４を挟み込む力が増大することから、開弁力（押圧力）が強くなることは云うまでもない。
【００１８】
また、空気注入弁４に外嵌した際、同注入弁４を傷付けないようにカバー本体１と同様、開弁スリット３の端縁３ａにはエッジ処理が施されている。
【００１９】
一方、空気注入弁４は、空気入れ商品５の所望位置に形成されているものであり、図３に示すように、円筒状の注排気口４ａと、該注排気口４ａを支持する弁座形成部４ｂを介して気密に突設されている。
【００２０】
この便座形成部４ｂは、上端側４ｂ１  が注排気口４ａの外周側面に気密に接合され、下端側４ｂ２  が空気入れ商品５の空気孔５ａを気密に囲繞すべく接合されている。
【００２１】
外弁６は、前記注排気口４ａの上端開口４ａ１  内に気密に閉塞される栓体６ａが連設されている。この栓体６ａは、外周面が先端に行くに連れて次第に細くなるようにテーパー面を有しており、前記注排気口４の上端開口４ａ１  内に圧入されるものである。
【００２２】
内弁７は、無端７ａ側が注排気口４ａの左側端４ｃに連設され、遊端７ｂ側が短寸に形成された同注排気口４ａの右側端４ｄに整合すべく配置されることにより、下端開口４ａ２  を開閉自在な弁口として構成している。
【００２３】
また、この内弁７は、空気入れ商品の空気圧により、常時、閉弁方向（上方）に押圧されているため、外弁６を注排気口４ａから外しただけでは空気が外部に漏れることがなく、図５に示すように、内弁７を前記空気圧に抗して押し下げないない限り、開弁することはない。
【００２４】
このように構成される本発明の空気注入弁用保護カバーは、空気入れ商品を小さく畳んで移動する場合、また、複数の空気入れ商品を纏めて梱包して出荷する場合などは、まず、空気注入弁４の注排気口４ａ (詳しくは、上端開口４ａ１  ）内に前記止着部２を挿着させるだけで、簡単に同空気注入弁４を前記カバー本体１で覆うことになるため、空気入れ商品５の自重や、他の商品の荷重で互いの空気注入弁４が変形してしまうといった従来の問題点を解消でき、積み重ねや運搬時に生じていた空気注入弁４の変形負担に起因する安易な空気漏れも未然に防止することができるのである。
【００２５】
また、この空気注入弁用保護カバーは、積み重ねや運搬が終わった際は、使い捨てになるのではなく、空気入れ商品５の空気抜きの際にも頗る役立つものであり、図４に示すように、空気注入弁４の根本にカバー本体１の開弁スリット３を差し込むだけで、内弁７が開弁状態に保持されるため(図５参照)、従来の如き空気抜き棒８ (図６参照）が不要になると共に、空気注入弁４を手指で摘み続けなければならないといった手間も省けるなど、手放しで簡単かつ容易に空気を抜くことができるのである。
【００２６】
しかも、本発明の空気注入弁用保護カバーは、従来の空気抜き棒８と違って、内弁７を傷付けたり、無理やり押し込むことによる同弁７の変形負担をも減少できるものであり、また、弁口を構成する下端開口４ａ２  が（同空気抜き棒８の挿入で）閉塞することもないので、効率よく空気を抜くことができるものである。
【００２７】
尚、本発明はこれら実施例に限定されることなく、本発明の目的の範囲内で自由に設計変更し得るものであり、本発明はそれらの全てを包摂するものである。例えば、本明細書で言及している「空気入れ商品」とは、浮き輪、空気マットの他、ビーチボール、起き上がりパンチング袋、飛行機、自動車或いは動物等といった適宜形態に成形された全ての空気入り遊具及び商品を包摂するものである。
【図面の簡単な説明】
【００２８】
【図１】本発明に係る空気注入弁用保護カバーの平面図である。
【図２】同空気注入弁用保護カバーの正面図である。
【図３】同空気注入弁用保護カバーの取付状態を示す縦断面図である。
【図４】同空気注入弁用保護カバーの開弁状態を示す斜視図である。
【図５】同空気注入弁用保護カバーの開弁状態を示す縦断面図である。
【図６】従来の空気注入弁の開栓状態を示す縦断面図である。
【符号の説明】
【００２９】
Ａ  空気注入弁用保護カバー
１  カバー本体
１ａ  端縁
２  止着部
３  開弁スリット
３ａ  端縁
４  空気注入弁
４ａ  注排気口
４ａ１  上端開口
４ａ２  下端開口
４ｂ  弁座形成部
４ｂ１  上端側
４ｂ２  下端側
４ｃ  左側端
４ｄ  右側端
５  空気入れ商品
５ａ  空気孔
６  外弁
６ａ  栓体
７  内弁
７ａ  無端
７ｂ  遊端
７ｃ  底部
８  空気抜き棒
【図１】
2005337437.tif 000003
【図２】
2005337437.tif 000004
【図３】
2005337437.tif 000005
【図４】
2005337437.tif 000006
【図５】
2005337437.tif 000007
【図６】
2005337437.tif 000008